(57)【要約】【課題】  扉体の開閉および取り外しが容易な係合構造およびこの係合構造を有する看板を提供する。【解決手段】  箱形のケース体１と、該ケース体１の正面側に設けられた開閉自在な扉体２とを備え、該扉体２が、表示物を掲示可能な窓部３を有し、前記ケース体１内には、前記窓部３を背面側から照射する光源４が設けられており、前記ケース体１の上部正面側には、上向きに突出する受部５が形成されており、該受部５の上面が円弧状であり、前記扉体２の上端がケース体１側に湾曲して略Ｊ字形の湾曲部６が形成されており、該湾曲部６が前記受部５に係合しており、前記ケース体１の上面には外接材７がネジ止めされていて、該外接材７と前記受部５とで、前記湾曲部６が摺動可能な間隙８が形成されている。【選択図】      図１
2011038593.tif 000002
【特許請求の範囲】
【請求項１】
一方部材と他方部材との係合構造であって、
一方部材に形成された円弧状の受部（５）と、他方部材に形成された略Ｊ字形の湾曲部（６）とを備え、該湾曲部（６）が前記受部（５）に係合しており、一方部材には外接材（７）が取り付けられていて、該外接材（７）と前記受部（５）とで、前記湾曲部（６）が摺動可能な間隙（８）が形成されていることを特徴とする係合構造。
【請求項２】
箱形のケース体（１）と、該ケース体（１）の正面側に設けられた開閉自在な扉体（２）とを備え、該扉体（２）が、表示物を掲示可能な窓部（３）を有し、前記ケース体（１）内には、前記窓部（３）を背面側から照射する光源（４）が設けられており、
前記ケース体（１）の上部正面側には、上向きに突出する受部（５）が形成されており、該受部（５）の上面が円弧状であり、前記扉体（２）の上端がケース体（１）側に湾曲して略Ｊ字形の湾曲部（６）が形成されており、該湾曲部（６）が前記受部（５）に係合しており、前記ケース体（１）の上面には外接材（７）がネジ止めされていて、該外接材（７）と前記受部（５）とで、前記湾曲部（６）が摺動可能な間隙（８）が形成されていることを特徴とする看板。
【発明の詳細な説明】
【技術分野】
【０００１】
本発明は、一方部材と他方部材との係合構造およびこの係合構造を有する看板に関する。
【背景技術】
【０００２】
従来、箱形のケース体と、ケース体の正面側に設けられた扉体とを備え、扉体が表示物を掲示可能な窓部を有し、ケース体内には窓部を背面側から照射する光源が設けられた看板がある（たとえば、文献１）。こうした看板において、ケース体と扉体との取り付けについては、ケース体１０１の上端部にネジ止めした丁番１０３を介して扉体１０２を開閉自在に取り付けるか（図７）、扉体をケース体に直接ネジ止めするのが一般的であった。
【先行技術文献】
【特許文献】
【０００３】
【特許文献１】特開２００６−３３７５２５号公報
【発明の概要】
【発明が解決しようとする課題】
【０００４】
しかしながら、扉体１０２を丁番１０３によって取り付けた場合、ケース体１０１内部の点検作業などを行うためには、作業者が扉体１０２を開けた状態で支持しておくか、または支持棒１０４などを設ける必要があった。また、扉体１０２を取り外すには、扉体１０２に丁番１０３を固定するネジをすべて取り外さなくてはならず、手間がかかっていた。さらに、扉体をケース体に直接ネジ止めした場合、ケース体内部の点検作業などを行うためには、その都度すべてのネジを取り外して扉体をケース体から取り外さなくてはならず、こちらも手間がかかっていた。
【０００５】
本発明は、上記事情を鑑みたものであり、扉体の開閉および取り外しが容易な係合構造およびこの係合構造を有する看板を提供することを目的とする。
【課題を解決するための手段】
【０００６】
本発明のうち請求項１の発明は、一方部材と他方部材との係合構造であって、一方部材に形成された円弧状の受部と、他方部材に形成された略Ｊ字形の湾曲部とを備え、該湾曲部が前記受部に係合しており、一方部材には外接材が取り付けられていて、該外接材と前記受部とで、前記湾曲部が摺動可能な間隙が形成されていることを特徴とする。
【０００７】
本発明のうち請求項２の発明は、箱形のケース体と、該ケース体の正面側に設けられた開閉自在な扉体とを備え、該扉体が、表示物を掲示可能な窓部を有し、前記ケース体内には、前記窓部を背面側から照射する光源が設けられており、前記ケース体の上部正面側には、上向きに突出する受部が形成されており、該受部の上面が円弧状であり、前記扉体の上端がケース体側に湾曲して略Ｊ字形の湾曲部が形成されており、該湾曲部が前記受部に係合しており、前記ケース体の上面には外接材がネジ止めされていて、該外接材と前記受部とで、前記湾曲部が摺動可能な間隙が形成されていることを特徴とする。
【発明の効果】
【０００８】
本発明のうち請求項１の発明によれば、一方部材と他方部材とが連結され、かつ、湾曲部が間隙を摺動することにより、一方部材に対して他方部材が受部を中心に回転動作可能であるから、一方部材に対して他方部材を扉や蓋として使用するのに好適である。さらに、間隙を広げることで一方部材と他方部材を容易に分離することができる。
【０００９】
本発明のうち請求項２の発明によれば、ケース体の受部に扉体の湾曲部が係合しており、かつ外接材と受部とで湾曲部が摺動可能な間隙が形成されているから、扉体の下端部を正面側に引けば、湾曲部が間隙を摺動して、受部を中心に扉体を回転させて開けることができる。また、ネジを緩めて間隙を広げれば、扉体を取り外すことができる。この際、ネジを取り外す必要がないから、作業を短時間で行うことが可能であり、ネジをなくすこともない。このように構成した看板においては、ブレーカの復旧など短時間で終わる作業の場合、扉体の下端部を引いて開ければ、容易にケース体内部の作業が可能であり、点検や部品交換など長時間にわたる作業の場合、ネジを緩めて扉体を取り外せば、扉体を支持しておく必要がないので作業が容易であり、また支持棒などを設ける必要もない。
【図面の簡単な説明】
【００１０】
【図１】本発明の係合構造を有する看板の扉体取付部分の拡大図。
【図２】扉体を開けた状態を示す説明図。
【図３】扉体を取り外した状態を示す説明図。
【図４】図６のＡ−Ａ線断面図。
【図５】図６のＢ−Ｂ線断面図。
【図６】看板の正面図。
【図７】従来の看板の扉体取付部分の拡大図。
【発明を実施するための形態】
【００１１】
本発明の係合構造を有する看板の具体的な構成について、各図面に基づいて説明する。この看板は、図４〜図６に示すように、ケース体１と、扉体２とを備え、ケース体１が一方部材、扉体２が他方部材に相当する。ケース体１は、箱形で正面側が開口している。扉体２は、四周枠組みした枠体２１に透明なアクリル板からなる表面板３１を嵌め込んで窓部３を形成しており、ケース体１の正面側の開口部に設けられている。ケース体１と扉体２の取付部分については後述する。そして、樹脂板など光を透過する素材に文字、絵や写真などを表した表示物（図示省略）が、表面板３１の背面側に設けられる。
【００１２】
ケース体１の底面には、白色の反射板１３が設けられており、その正面側には矩形平板状の導光板１４が設けられている。この導光板１４は、端面から進入した光を拡散させて一様に面発光させるもので、その上下辺には、光源４としてＬＥＤライト４ａ，４ｂが取り付けられている。ＬＥＤライト４ａ，４ｂから発せられる光は、導光板１４の端面から進入して、正面および背面から発光する。その際、導光板１４の背面側には反射板１３が設けられているので、背面から発せられた光は反射して正面方向に向かう。なお、導光板１４は、ケース体１にネジ止めする導光板押さえ材１５によって、上下縁部を押さえ付けて固定されている。そして、導光板１４の正面側には、乳白色のアクリル板からなる透過板１６が設けられている。これは、導光板１４から発せられる光を直視するとまぶしいので、それをやわらげるためのものである。透過板１６は、上部に鉤形の取付金具１７を有し、ケース体１に形成された逆鉤形の吊下部１８に吊り下げて取り付けられている。
【００１３】
次に、ケース体１と扉体２の取付部分について詳述する。図１に示すように、ケース体１の上部正面側には、正面側に延び途中で屈曲して上側に延びる略Ｌ字形の支持部５１が形成され、さらに支持部５１の先端には受部５が左右にわたって形成されている。ただし、受部５の左右方向長さは看板の横幅を超えない。受部５は円柱を軸を通る面で切断した形状で、軸が左右方向と一致し、側面（曲面）が上を向いている。一方、扉体２については、枠体２１の上縁部がケース体１側に向かって略Ｊ字形に湾曲して、湾曲部６が形成されている。湾曲部６の内周面の曲率は、受部５の上面の曲率と略同一であり、湾曲部６が受部５に係合すると、湾曲部６の内周面と受部５の上面とが略一致する。そして、ケース体１の上面には、平板状の外接材７がネジ止めされている。外接材７は、湾曲部６の外周面の曲率と略同一の曲率の曲面からなる曲面部７１を有し、受部５と曲面部７１との間に間隙８を形成している。湾曲部６は間隙８に挿入される形になっており、間隙８に沿って摺動可能であるが、湾曲部６が間隙８から抜けて扉体２がケース体１から外れることはない。なお、枠体２１の下縁部および左右縁部についても上縁部と同様に湾曲しているが、これは上縁部の湾曲部６と形状を共通にしたものである。また、扉体２の下部には鍵（図示省略）が設けられ、扉体２が閉じた状態で、扉体２とケース体１とをロックできる。
【００１４】
上記のとおり湾曲部６が間隙８に沿って摺動可能であるから、扉体２の下端部を正面側に引けば、受部５を中心に扉体２を回転させて開けることができる（図２）。そして、外接材７を固定しているネジを緩めて間隙８を広げれば、湾曲部６を間隙８から抜いて、扉体２をケース体１から取り外すことができる（図３）。
【００１５】
なお、光源には一次電源から電力が供給されるものであり、ケース体内の導光板の周囲には、端子台、内部電源、スイッチおよびブレーカといった、電力供給及び安全のための装置が設けられている（図示省略）。一次電源としては、一般の家庭用電源が用いられる。
【００１６】
このように構成した看板は、壁面などに設置され、ＬＥＤライトの発光により表示物を表示する。そして、扉体の下端部を正面側に引けば、従来の丁番により取り付けた扉体と同様に開けることができる。また、ネジを緩めて間隙を広げれば、扉体を取り外すことができ、この際ネジを取り外す必要がないから、作業を短時間で行うことが可能であり、ネジをなくすこともない。よって、ブレーカの復旧など短時間で終わる作業の場合、扉体の下端部を引いて開ければ、容易にケース体内部の作業が可能であり、点検や部品交換など長時間にわたる作業の場合、ネジを緩めて扉体を取り外せば、扉体を支持しておく必要がないので作業が容易であり、また支持棒などを設ける必要もない。
【００１７】
本発明は上記の実施形態に限定されない。受部、湾曲部および外接板の形状は、同様の機能を有する限り、自由に設定できる。また、看板の係合構造以外の構成は、ケース体と扉体とを有するものであれば、どのようなものであってもよい。さらに、本発明の係合構造は、看板のほか、開閉する扉や蓋を有する種々の物品に適用可能である。
【符号の説明】
【００１８】
１  ケース体
２  扉体
３  窓部
４  光源
５  受部
６  湾曲部
７  外接材
８  間隙
【図１】
2011038593.tif 000003
【図２】
2011038593.tif 000004
【図３】
2011038593.tif 000005
【図４】
2011038593.tif 000006
【図５】
2011038593.tif 000007
【図６】
2011038593.tif 000008
【図７】
2011038593.tif 000009